(57)【要約】      （修正有）【課題】各スタッド材ごとに個別に位置調整を行いながらスタッド材を基礎の外周枠部の上面に固定して行く手間などをなくし得る外壁設置構造を提供する。【解決手段】基礎２の外周枠部３の上面４に上下方向５へ延びるスタッド材６が立設され、スタッド材６の外面に外壁材７が取付けられている建物１の外壁設置構造に関する。基礎２の外周枠部３の上面４に沿って周回するようにテープ状防水材２１が貼付けられる。テープ状防水材２１の上部に、横へ延びるランナー２２が、テープ状防水材２１を上から圧縮するように取付けられる。ランナー２２の上部にスタッド材６の下端部が取付けられる。ランナー２２は、基礎２の外周枠部３の上面４から上方へ突設されたアンカー９によって基礎２に固定され、アンカー９とランナー２２との間には、ランナー２２の位置を調整可能な位置調整部が設けられても良い。【選択図】図１
2020197084.tif 000002
【特許請求の範囲】
【請求項１】
基礎の外周枠部の上面に上下方向へ延びるスタッド材が立設され、該スタッド材の外面に外壁材が取付けられている建物の外壁設置構造であって、
前記基礎の前記外周枠部の上面に沿ってテープ状防水材が貼付けられ、
該テープ状防水材の上部に、該テープ状防水材に沿って横へ延びるランナーが、前記テープ状防水材を上から圧縮するように取付けられ、
前記ランナーの上部に前記スタッド材の下端部が取付けられていることを特徴とする建物の外壁設置構造。
【請求項２】
請求項１に記載の建物の外壁設置構造であって、
前記ランナーは、前記基礎の前記外周枠部の上面から上方へ突設されたアンカーによって前記基礎に固定され、該アンカーと前記ランナーとの間には、該ランナーの位置を調整可能な位置調整部が設けられていることを特徴とする建物の外壁設置構造。
【請求項３】
請求項１または請求項２に記載の建物の外壁設置構造であって、
前記ランナーの外側面部に、防水透湿テープが貼付けられていることを特徴とする建物の外壁設置構造。
【請求項４】
請求項１ないし請求項３のいずれか１項に記載の建物の外壁設置構造であって、
前記ランナーの外側面部の下部に、前記基礎の前記外周枠部の上部を覆う水切部材が取付けられていることを特徴とする建物の外壁設置構造。
【発明の詳細な説明】
【技術分野】
【０００１】
この発明は、建物の外壁設置構造に関するものである。
【背景技術】
【０００２】
建物には、基礎の外周枠部の上面に上下方向へ延びるスタッド材を立設し、このスタッド材の外面に外壁材を取付けるようにしたものがある（例えば、特許文献１参照）。
【先行技術文献】
【特許文献】
【０００３】
【特許文献１】特開２００３−２４９８２号公報
【発明の概要】
【発明が解決しようとする課題】
【０００４】
しかしながら、上下方向へ延びるスタッド材を基礎の外周枠部の上面に対して直接固定するようにした場合には、各スタッド材ごとに基礎に対する位置調整を個別に行いながら、スタッド材を基礎の外周枠部の上面に固定しなければならず、スタッド材の設置に手間がかかるなどの問題があった。
【０００５】
そこで、本発明は、主に、上記した問題点を解決することを目的としている。
【課題を解決するための手段】
【０００６】
上記課題を解決するために、本発明は、
基礎の外周枠部の上面に上下方向へ延びるスタッド材が立設され、該スタッド材の外面に外壁材が取付けられている建物の外壁設置構造であって、
前記基礎の前記外周枠部の上面に沿ってテープ状防水材が貼付けられ、
該テープ状防水材の上部に、該テープ状防水材に沿って横へ延びるランナーが、前記テープ状防水材を上から圧縮するように取付けられ、
前記ランナーの上部に前記スタッド材の下端部が取付けられていることを特徴とする。
【発明の効果】
【０００７】
本発明によれば、上記構成によって、各スタッド材ごとに個別に位置調整を行いながら、スタッド材を基礎の外周枠部の上面に固定して行く手間をなくすことなどができる。
【図面の簡単な説明】
【０００８】
【図１】本実施の形態にかかる建物の外壁設置構造を示す基礎周辺の縦断面図である。
【図１Ａ】図１のＡ部分の拡大図である。
【図２】図１の基礎を示す図である。このうち（ａ）は平面図、（ｂ）は（ａ）中の矢視線に沿った縦断面図である。
【図３】図２の基礎にランナーを取付けた状態を示す図である。このうち（ａ）は平面図、（ｂ）は（ａ）中の矢視線に沿った縦断面図である。
【図４】スタッド材の部品図である。このうち、（ａ）は全体正面図、（ｂ）は全体側面図、（ｃ）は下端部の部分拡大正面図、（ｄ）は下端部の部分拡大端面図、（ｅ）は下端部の部分拡大側面図、（ｆ）は上端部の部分拡大側面図、（ｇ）は上端部の部分拡大端面図である。
【図５】基礎にテープ状防水材を取付ける状態を示す図である。このうち、（ａ）は基礎の部分拡大斜視図、（ｂ）は（ａ）の縦断面図である。
【図６】テープ状防水材の上にランナーを取付ける状態を示す図である。このうち、（ａ）は基礎の部分拡大斜視図、（ｂ）は（ａ）の縦断面図である。
【図７】ランナー間にコーナー用のランナーなどを設置する状態を示す基礎の部分拡大斜視図である。
【図８】ランナー間に防水テープを貼付ける状態を示す基礎の部分拡大斜視図である。
【図９】（ａ）はランナーの上にスタッド材を取付ける状態を示す斜視図、（ｂ）は（ａ）の側面図である。
【図１０】ランナーの部品図である。このうち、（ａ）は全体上面図、（ｂ）は全体側面図、（ｃ）は全体底面図、（ｄ）は（ｂ）中の（ｄ）−（ｄ）矢視線に沿った縦断面図、（ｅ）は（ｂ）中の（ｅ）部分拡大図、（ｆ）は（ｂ）中の（ｆ）−（ｆ）矢視線に沿った縦断面図、（ｇ）は（ｂ）中の（ｇ）部分拡大図である。
【図１１】（ａ）はランナーの外面に防水透湿テープを貼付けた状態などを示す斜視図、（ｂ）は（ａ）の側面図、（ｃ）は（ｂ）の部分拡大図である。
【図１２】（ａ）は外壁材を隣接配置する状態を示す斜視図、（ｂ）は（ａ）の側面図である。
【発明を実施するための形態】
【０００９】
以下、本実施の形態を、図面を用いて詳細に説明する。
図１〜図１２は、この実施の形態を説明するためのものである。
【実施例１】
【００１０】
＜構成＞以下、構成について説明する。
【００１１】
図１に示すように、耐火建築物などの建物１では、基礎２の外周枠部３の上面４に上下方向５へ延びるスタッド材６が立設され、スタッド材６の外面に外壁材７が取付けられるようになっている。
【００１２】
ここで、建物１は、どのようなものであっても良いが、この実施例では耐火建築物を想定している。耐火建築物は、共同住宅や防火地域の住宅に対して必要とされる耐火構造を備えた建築物のことであり、例えば、敷地面積が小さい土地や、建ぺい率や地価が高い都市部の土地などに多く見られる３・４階建の建築物などに適用されている。
【００１３】
基礎２は、建物１を地面ＧＬに支えるために、鉄筋コンクリートなどで構成された支持構造物である。
【００１４】
基礎２の外周枠部３（図２）は、外壁材７の下部に沿ってほぼ閉ループ状に設けられた（または外壁廻りに設けられた）基礎２の立上部のことである。
【００１５】
基礎２の上面４は、基礎２の天端などと呼ばれており、基礎２の天端は所要の幅を有する水平面とされて、外壁廻りに沿って延ばされる。基礎２の上面４の上には、鉄骨でできた柱８（図３）が上下方向５に立設され、この柱８に鉄骨でできた梁（図１２の梁５９参照）などを取付けることによって建物１の構造体（建物本体）が形成される。基礎２の上面４は、柱８がハミ出さないように、柱８よりも広幅に形成されている。基礎２の上面４からは上方へ向けてアンカー９が適宜突設される。
【００１６】
上下方向５は、地面ＧＬや基礎２の上面４などに対して垂直な方向である。
【００１７】
スタッド材６（図４）は、建物１（建物本体）の外面に外壁材７を設置するために用いられる部材であり、この場合、外壁材７を取付けることから外壁スタッドなどということができる。スタッド材６は、建物本体を構成する鉄骨（例えば、柱８）間となる位置などに設けられる間柱などとして使用することができる。スタッド材６は、基礎２の外周枠部３に対し、柱８とほぼ同じ位置または柱８よりも若干屋外側となる位置などに設けられる。スタッド材６は、基礎２の外周枠部３に沿い、所要の間隔を有して設置される。スタッド材６は、一対の側面部６ａと、側面部６ａ間を連結する外面部６ｂとを有する平面視ほぼＣ字断面の金属部材によって構成することができる。スタッド材６の下端部や上端部には、取付部６ｃ，６ｄが設けられている。
【００１８】
この実施例では、スタッド材６は、下階のスタッド材６とされている。スタッド材６の上端部（の取付部６ｄ）は、例えば、建物１の構造体となる梁（この場合には、一階と二階との間に位置する梁５９、図１２）などに下側からほぼ当接された状態で固定される。
【００１９】
スタッド材６の外面は、スタッド材６の外壁材７と対向する屋外側の面のことであり、平面視ほぼＣ字断面のスタッド材６の場合、外面部６ｂが外面に相当する。
【００２０】
外壁材７は、建物本体の外面を構成する面材（壁パネル）のことである。外壁材７は、どのようなものとしても良いが、この実施例では、タイル貼りのものなどとなっている。
【００２１】
なお、基礎２の上部には、鋼製大引１１、床下地材１２、床仕上材１３などによって床部１４が設けられる。鋼製大引１１は、鋼製束１５などによって下側から基礎２（の底板部）に支持される。基礎２の内側（立上部の内面や底板部の上面）には、例えば、ポリスチレンフォームなどによる厚手の断熱材１６が設置される。
【００２２】
また、隣接する柱８の間の位置には、例えば、厚さ１１０ｍｍ程度以上の厚さを有する高性能グラスウールなどによる断熱材１７が設置される。
【００２３】
そして、基礎２の外周枠部３に対し、柱８よりも内側となる位置には、鋼製スタッド１８（内壁スタッド）を介して石膏ボード１９などの壁下地材などを取付けることによって内壁部が形成される。なお、鋼製スタッド１８（内壁スタッド）は、スタッド材６（外壁スタッド）よりも細いものとすることができる。
【００２４】
そして、上記のような構成に対し、この実施例の建物１の外壁設置構造は、以下のような構成を備えることができる。
【００２５】
（１）図５に示すように、基礎２の外周枠部３の上面４に沿ってテープ状防水材２１が貼付けられる。
図６（〜図８）に示すように、テープ状防水材２１の上部に、テープ状防水材２１に沿って横へ延びるランナー２２が、テープ状防水材２１を上から圧縮するように取付けられる。
そして、図９に示すように、ランナー２２の上部にスタッド材６の下端部が取付けられる。または、スタッド材６は、その下端部がランナー２２の上部に取付けられる。
【００２６】
ここで、例えば、テープ状防水材２１は、所要の幅と厚みとを有する長尺のゴムなどの弾性変形可能な部材で構成された防水材である。テープ状防水材２１は、所要量圧縮変形された状態で、ランナー２２やスタッド材６や外壁材７などの重みに耐えて防水機能を発揮できるものとされている。テープ状防水材２１は、少なくとも片面（基礎２側の面）に、粘着層が設けられて、離型紙を剥がすことにより、簡単に基礎２に貼付けられるようになっている。
【００２７】
テープ状防水材２１は、建物１の構造体となる柱８（やアンカー８）よりも外側（屋外側）となる位置に、基礎２の外周枠部３を周回するように設置される（貼付けられる）。例えば、テープ状防水材２１は、基礎２の（の外周枠部３）の上面４の構造芯２４となる位置（例えば、柱８の中心位置）から（柱８やアンカー８などとの干渉が生じない）所定の距離２５（図５（ｂ））だけ外側となる位置に、テープ状防水材２１の内周部を合わせた状態で設置される。
【００２８】
テープ状防水材２１は、長さが足りない場合などには、継足して使用することができる。テープ状防水材２１の継足部分２６（図５（ａ））は、基礎２の内外方向に所要量重複させた状態にする。この際、テープ状防水材２１の外周部が全体としてほぼ面一状態になる（または外側へハミ出さない）ように、継足部分２６では、継足されるテープ状防水材２１の端部に対して継足すテープ状防水材２１の端部を内側に入り込んだ状態にする。
【００２９】
ランナー２２（図１０）は、スタッド材６の下端部の位置に設置される横材（通し梁）であり、比較的長尺の部材によって構成される。ランナー２２は、上面２２ａおよび下面２２ｂと、上面２２ａと下面２２ｂとの間を連結する外側面部２２ｃとを有する側面視ほぼＣ字断面の金属部材によって構成することができる。ランナー２２の上面２２ａは、スタッド材６の下端部を取付けるスタッド取付座とされる。そのために、ランナー２２の上面２２ａには、スタッド材６の下端部（の取付部６ｃ）をネジなどの固定具２７で上下方向５に固定するためのネジ穴２２ｄが（スタッド材６の配置に合わせた）所要の間隔で適宜形成される。スタッド材６は、外壁材７の取付けに必要な所要の間隔（ほぼ外壁材７の幅寸法）を有してランナー２２の上面２２ａに設置される。スタッド材６は、室内側からランナー２２の上面２２ａにネジなどの固定具２７で固定される。
【００３０】
ランナー２２は、端部どうしを互いにほぼ突当てた状態で、基礎２の（の外周枠部３）の上面４に複数本連続して設けられる。この際、基礎２の外周枠部３に形成されるコーナー部には、平面視ほぼＬ字状をしたコーナー用のランナー２２Ａ（図７）を使うことができる。また、ランナー２２間には、継足用の短いランナー２２Ｂなどを用いることができる。
【００３１】
そして、ランナー２２どうしの接続は、ランナー接続金具２８を介して行われる。例えば、ランナー接続金具２８を、長尺のランナー２２の両端部に予め取付けておき、ランナー接続金具２８の間に、コーナー用のランナー２２Ａや継足用のランナー２２Ｂを設置して、ネジなどの固定具２９（図７）でコーナー用のランナー２２Ａや継足用のランナー２２Ｂの両端部をランナー接続金具２８に上下方向５に固定することで、ランナー２２どうしの連結が可能になる。
【００３２】
ランナー接続金具２８は、下面と上面と内側面とを有する側面視ほぼＣ字断面を有するものとされており、Ｃ字断面のランナー２２と向い合せの状態で長尺のランナー２２の室内側となる位置に設置される。そして、コーナー用のランナー２２Ａや継足用のランナー２２Ｂの上面２２ａがランナー接続金具２８の上面に上側から固定される。
【００３３】
更に、ランナー２２の端部どうしを突当てた接続部分（つなぎ部分）には、薄手の防水テープ３１（図８）を貼付けることで、ランナー２２を隙間なく連続させて、ランナー２２部分の防水性が周方向に途切れないようにする。
【００３４】
（２）図１（図６、図１１（ｃ））に示すように、ランナー２２は、基礎２の外周枠部３の上面４から上方へ突設されたアンカー９によって基礎２に固定されるようにしても良い。アンカー９とランナー２２との間には、ランナー２２の位置を調整可能な位置調整部４１（図１１（ｃ））が設けられても良い。
【００３５】
ここで、アンカー９は、上下方向５へ延びる固定用のボルト状部材であり、下端側の部分が基礎２の内部に埋設されると共に、上端側の部分が基礎２の上面４から上方へ突出される。アンカー９は、基礎２に対して所要の間隔を有して設置される。この場合、外周枠部３に対し、構造芯２４よりも外側となる位置に、外周枠部３に沿って所要の間隔を有して設置されたアンカー９がランナー２２の取付けに用いられる。ランナー２２は、アンカー９の基礎２から上方へ突出されたボルト部分に対して取付けられる。ランナー２２にはアンカー９を用いて基礎２に取付けるためのアンカー取付金具４２が設けられる。
【００３６】
アンカー取付金具４２は、ランナー２２におけるアンカー９と合致する位置（例えば、ランナー２２の長手方向の中間部や両端部など）に設けられる。なお、アンカー取付金具４２は、ランナー接続金具２８と兼用させても良い。
【００３７】
このアンカー取付金具４２は、下面と上面と内側面とを有する側面視ほぼＣ字断面のものとされており、Ｃ字断面のランナー２２と向い合せの状態でランナー２２の（建物１の）内側となる位置に設置される。アンカー取付金具４２は、その下面が基礎２の上面４に対して当接した状態で、ナットなどの固定具４３によって基礎２の上面４に締結固定される。アンカー取付金具４２の下面（のランナー２２よりも内側となる位置）には、アンカー９を通すための取付穴が設けられる。
【００３８】
位置調整部４１は、ランナー２２をアンカー９にて基礎２に固定する際に、基礎２に対してランナー２２の位置を調整できるようになっていればどのようなものとしても良いが、この実施例では、ランナー２２（に取付けられたアンカー取付金具４２）に設けられる取付穴をアンカー９よりも僅かに大径（取付穴の径寸法４４＞アンカー９の径）にして、取付穴とアンカー９との間に隙間を作り、この隙間を位置調整代にすることにより、位置調整代の分だけ基礎２に対するランナー２２の取付位置を基礎２の幅方向や長手方向に調整できるようにしている。即ち、アンカー取付金具４２に設けた取付穴が位置調整部４１となっている。そして、位置調整部４１を用いてランナー２２の位置を調整することにより、ランナー２２に取付けられた全てのスタッド材６を同時に位置調整できるようにしている。
【００３９】
なお、アンカー取付金具４２（またはランナー接続金具２８）は、ランナー２２よりも厚肉の部材で形成されている。そして、側面視ほぼＣ字断面を有するアンカー取付金具４２（またはランナー接続金具２８）の上面は、ランナー２２の上面２２ａの下側に内周側から一部重複した状態で固定され、アンカー取付金具４２（またはランナー接続金具２８）の下面は、ランナー２２の下面２２ｂの下側に内周側から一部重複した状態で固定されている。そして、テープ状防水材２１は、ランナー２２をアンカー９とナットなどの固定具４３で基礎２に締結固定することにより、アンカー取付金具４２の肉厚とほぼ等しい厚みに圧縮されて、ランナー２２の下面２２ｂの（建物１の）外周側の位置に介在される。
【００４０】
（３）図１１に示すように、ランナー２２の外側面部２２ｃに、防水透湿テープ５１が貼付けられても良い。
【００４１】
ここで、防水透湿テープ５１は、水を通さずに湿気(水蒸気)を透すテープのことである。防水透湿テープ５１は、ランナー２２の外側面部２２ｃの上部またはその近傍にランナー２２に沿って横に連続して貼付けられる。これにより、防水透湿テープ５１はランナー２２と共に、外壁廻りに周回される。防水透湿テープ５１は両面テープなどとすることができる。防水透湿テープ５１の外面側には、防水透湿テープ５１に外壁材７の下端縁の周辺（に設けられた鉄枠部７ａ（図１Ａ）など）に貼付けるための粘着層が形成され、粘着層には離型紙５２（図１２）が取付けられている。そして、離型紙５２を剥がすことによって、粘着層を外壁材７に貼付けられるようにしている。なお、外壁材７の鉄枠部７ａは、金属製の横部材などとされ、外壁材７の上下端部の位置などに適宜設けられて、外壁材７を補強するもの（補強部材）である。
【００４２】
また、スタッド材６の外面部６ｂには、テープ状の断熱材５３がスタッド材６の長手方向（上下方向５）に沿って取付けられても良い。これにより、スタッド材６の部分に対してテープ状の断熱材５３により断熱性が確保される。
【００４３】
なお、ランナー２２の外側面部２２ｃは、スタッド材６の外面部６ｂよりも若干建物１の内側に位置させるようにしても良い。これにより、ランナー２２の外側面部２２ｃに防水透湿テープ５１を貼った時に、防水透湿テープ５１の外面と（テープ状の断熱材５３を貼った）スタッド材６の外面部６ｂとがほぼ面一状態となるように揃えられる。
【００４４】
そして、図１２に示すように、スタッド材６とランナー２２とに対し外側から外壁材７が設置される。この際、隣接する外壁材７間の隙間が目地とされる。この目地は、隣接する外壁材７間に外壁目地管理板５５を挟むことによって幅寸法（目地幅）が正確に管理される。
【００４５】
また、基礎２の上面４と外壁材７の下縁部との間の隙間は、板状の外壁配置治具５６を横向きにして介在させることによって正確に管理される。外壁材７は、リベット５７などの固定具によって室内側からスタッド材６などにほぼ面直方向に固定される。
【００４６】
（４）図１Ａに示すように、ランナー２２の外側面部２２ｃの下部に、基礎２の外周枠部３の上部を覆う水切部材６１が取付けられても良い。
【００４７】
ここで、ランナー２２の外側面部２２ｃの下部は、防水透湿テープ５１よりも低い位置のことである。
【００４８】
水切部材６１は、外壁材７の下縁部から落下した雨水など受けて基礎２の外側へ導くための部材である。水切部材６１は、一定の幅寸法（上下寸法）を有して、外壁材７の下縁部に沿い横へ延びる長尺部材とされる。水切部材６１の上端部は、外壁材７よりも建物１の内側に設置され、水切部材６１の下端部は、基礎２の外周枠部３よりも外側に設置されると共に、建物１の内側（上端側）から基礎２の外側（下端側）へ向けて全体として緩い下り勾配となるように形成されている。水切部材６１の上端部は、外壁配置治具５６によって管理された外壁材７の下縁部と基礎２の上面４との間の隙間から、ランナー２２の外側面部２２ｃの下部に取付けられる。
【００４９】
＜作用＞以下、この実施例の作用について説明する。
【００５０】
基礎２に対して外壁材７を設置する場合、まず、基礎２の外周枠部３の上面４に、基礎２の上面４に沿って基礎２の外周枠部３を周回するようにテープ状防水材２１を貼付ける。
【００５１】
次に、テープ状防水材２１の上部に、テープ状防水材２１に沿って横へ延びるランナー２２を取付ける。ランナー２２は、基礎２の上面４から上方へ突設されたアンカー９に固定する。
【００５２】
そして、ランナー２２に（下階の）スタッド材６の下端部を取付ける。スタッド材６の上端部は、建物１の構造体となる梁５９などに取付けるようにする。
【００５３】
最後に、スタッド材６に対して外壁材７を取付ける。
【００５４】
＜効果＞この実施例によれば、以下のような効果を得ることができる。
【００５５】
（効果 １）建物１の外壁設置構造は、建物１の外壁材７の下側に位置する基礎２の外周枠部３の上面４に上下方向５へ延びるスタッド材６が立設され、スタッド材６の外面に外壁材７が取付けられたものとされている。
【００５６】
この際、基礎２の外周枠部３の上面４に対し、基礎２の上面４に沿って基礎２の外周枠部３を周回するようにテープ状防水材２１を貼付けるようにしている。そのため、テープ状防水材２１によって、基礎２の外周枠部３の上面４を取り囲むように閉ループ状の防水ラインを形成することができる。
【００５７】
次に、テープ状防水材２１の上部に、テープ状防水材２１に沿って横へ延びるランナー２２を取付けて、ランナー２２をテープ状防水材２１に上から圧着させるようにしている。これにより、基礎２の外周枠部３の上面４とランナー２２との間を、テープ状防水材２１によって確実に防水することができると共に、ランナー２２を防水上の立上り部分として利用することができる。よって、ランナー２２の周囲（基礎２の上部から外壁材７の下部くらいまでの範囲）に防水性を確保して、外部から基礎２の（ランナー２２の位置よりも）内側への水浸入を防止することが可能になる。
【００５８】
そして、ランナー２２の上部にスタッド材６の下端部を取付けるようにしている。これにより、ランナー２２を用いて上下方向５へ延びるスタッド材６を効率的に設置することができる。そのため、上下方向５へ延びるスタッド材６を、ランナー２２を用いずに直接基礎２に設置する場合のように、各スタッド材６ごとに個別に基礎２に対する位置調整を行いながら、基礎２（に設けられたアンカー９）に対してスタッド材６を固定して行く手間をなくすことができる。
【００５９】
（効果 ２）横へ延びるランナー２２は、基礎２の外周枠部３の上面４から上方へ突設されたアンカー９に固定しても良い。これにより、ランナー２２を、アンカー９を用いて基礎２の外周枠部３に直接固定することができる。アンカー９による基礎２の外周枠部３へのランナー２２の固定は、容易に行うことができ、しかも、正確かつ強固な固定状態を得ることができる。
【００６０】
そして、アンカー９とランナー２２との間には、ランナー２２の位置を調整可能な位置調整部４１を設けても良い。これにより、位置調整部４１を用いて、ランナー２２をより精度良く基礎２の上面４に固定することができる。位置調整部４１により、ランナー２２は、その位置を基礎２の幅方向や長手方向に対して調整することができる。そして、位置調整部４１によってランナー２２を精度良く基礎２の外周枠部３に固定することで、スタッド材６を一括してより精度良く設置することが可能になる。
【００６１】
（効果 ３）ランナー２２の外側面部２２ｃに、防水透湿テープ５１を貼付けても良い。これにより、防水上の立上り部分とされているランナー２２の外側面部２２ｃを防水透湿テープ５１の設置に利用することができる。例えば、この防水透湿テープ５１に外壁材７の下部を貼ることによって、外壁材７の下部周辺の防水性を確保向上することができる。
【００６２】
（効果 ４）ランナー２２の外側面部２２ｃの下部に、基礎２の外周枠部３の上部を覆う水切部材６１が取付けられても良い。これにより、防水上の立上り部分とされているランナー２２の外側面部２２ｃの下部を、基礎２の外周枠部３の上部を覆う水切部材６１を設置するのに利用することができる。この水切部材６１によって、外壁材７の下端部または下縁部から落下した雨水を水切部材６１で受けて、基礎２の外周枠部３の上部の外側へと導き、水切部材６１の下端部から水切りさせることができる。
【符号の説明】
【００６３】
２      基礎
３      外周枠部
４      上面
５      上下方向
６      スタッド材
７      外壁材
９      アンカー
２１    テープ状防水材
２２    ランナー
２２ｃ  外側面部
４１    位置調整部
５１    防水透湿テープ
６１    水切部材
【図１】
2020197084.tif 000003
【図１Ａ】
2020197084.tif 000004
【図２】
2020197084.tif 000005
【図３】
2020197084.tif 000006
【図４】
2020197084.tif 000007
【図５】
2020197084.tif 000008
【図６】
2020197084.tif 000009
【図７】
2020197084.tif 000010
【図８】
2020197084.tif 000011
【図９】
2020197084.tif 000012
【図１０】
2020197084.tif 000013
【図１１】
2020197084.tif 000014
【図１２】
2020197084.tif 000015